(57)【要約】【課題】シフトレンジが自動で制御される自動駐車において、運転者の想定とは異なるシフトレンジでの車両の発進を回避する。【解決手段】自動駐車装置は、車両を駐車するために車両の速度、操舵、及び、車両の変速機のシフトレンジを制御する車両制御部と、車両制御部による自動駐車中に車両の運転者による運転操作を受け付ける受付部と、受付部により受け付けられた運転操作が所定のオーバーライド条件を満たすか否かを判定する判定部と、を備え、車両制御部は、判定部により運転操作がオーバーライド条件を満たすと判定された場合、車両を停車させるとともに車両の変速機のシフトレンジを非駆動レンジに設定する。【選択図】図１
2018144751.tif 000002
【特許請求の範囲】
【請求項１】
車両の自動駐車を行う自動駐車装置であって、
前記車両を駐車するために前記車両の速度、操舵、及び、前記車両の変速機のシフトレンジを制御する車両制御部と、
前記車両制御部による自動駐車中に前記車両の運転者による運転操作を受け付ける受付部と、
前記受付部により受け付けられた前記運転操作が所定のオーバーライド条件を満たすか否かを判定する判定部と、
を備え、
前記車両制御部は、前記判定部により前記運転操作が前記オーバーライド条件を満たすと判定された場合、前記車両を停車させるとともに前記車両の前記変速機のシフトレンジを非駆動レンジに設定する、
自動駐車装置。
【請求項２】
前記車両制御部は、前記判定部により前記運転操作が前記オーバーライド条件を満たすと判定された場合であっても、前記受付部により前記運転操作が受け付けられたタイミングにおいて前記車両が減速していないときには、前記車両の前記変速機のシフトレンジを非駆動レンジに設定しない、請求項１に記載の自動駐車装置。
【発明の詳細な説明】
【技術分野】
【０００１】
本開示は、自動駐車装置に関する。
【背景技術】
【０００２】
特許文献１は、駐車時の操舵を自動で行う自動駐車装置を開示する。この装置は、自動駐車の制御中において運転者による緊急制動操作が受け付けられたときには、自動駐車制御を解除する。そして、この装置は、緊急制動操作の解除が検出される前に操舵操作又は変速機のシフト操作が検出されたときには、運転者に車両の運転を受け渡するとともに操舵補助力を用いて運転者の操舵をサポートする。
【先行技術文献】
【特許文献】
【０００３】
【特許文献１】特開２００７−３３１４７９号公報
【発明の概要】
【発明が解決しようとする課題】
【０００４】
駐車時の利便性を向上させるために、操舵だけでなくシフトレンジが自動で制御されるように特許文献１に記載の自動駐車装置を改良することが考えられる。しかしながら、シフトレンジが自動で制御されると、運転者に車両の運転が受け渡されたとき、運転者の想定するシフトレンジが車両のシフトレンジと異なる場合がある。この場合、運転者は想定と異なるシフトレンジで車両を発進させるおそれがある。本技術分野では、シフトレンジが自動で制御される自動駐車において、運転者の想定とは異なるシフトレンジでの車両の発進を回避することが望まれている。
【課題を解決するための手段】
【０００５】
本開示の一形態は、車両の自動駐車を行う自動駐車装置であって、車両を駐車するために車両の速度、操舵、及び、車両の変速機のシフトレンジを制御する車両制御部と、車両制御部による自動駐車中に車両の運転者による運転操作を受け付ける受付部と、受付部により受け付けられた運転操作が所定のオーバーライド条件を満たすか否かを判定する判定部と、を備え、車両制御部は、判定部により運転操作がオーバーライド条件を満たすと判定された場合、車両を停車させるとともに車両の変速機のシフトレンジを非駆動レンジに設定する。
【０００６】
一形態に係る自動駐車装置においては、自動駐車中においてオーバーライド条件がみたされた場合、車両の変速機のシフトレンジが非駆動レンジに設定され、その後、車両の運転が運転者に受け渡される。このため、この装置は、運転者が車両を発進させる際に改めてシフトレンジを設定させることができる。よって、この装置は、運転者の想定とは異なるシフトレンジでの車両の発進を回避することができる。
【０００７】
一実施形態においては、車両制御部は、判定部により運転操作がオーバーライド条件を満たすと判定された場合であっても、受付部により運転操作が受け付けられたタイミングにおいて車両が減速していないときには、車両の変速機のシフトレンジを非駆動レンジに設定しなくてもよい。
【０００８】
車両の進行方向を変更するようなシフトレンジの変更は、車両が切り返し地点に到達して、減速したときに発生する。このため、駐車制御中において車両が減速していないときは、車両の進行方向を変更するようなシフトレンジの変更が行われない。したがって、この装置は、車両が減速していないときには、車両の変速機のシフトレンジを非駆動レンジに設定しないようにすることで、不必要なシフトレンジの変更を抑制することができる。
【発明の効果】
【０００９】
本開示の一側面又は実施形態は、シフトレンジが自動で制御される自動駐車において、運転者の想定とは異なるシフトレンジでの車両の発進を回避することができる。
【図面の簡単な説明】
【００１０】
【図１】図１は、実施形態に係る自動駐車装置を備える車両の構成を示すブロック図である。
【図２】図２は、車両の自動駐車シーンの一例を説明する図である。
【図３】図３は、自動駐車中の運転操作と駐車制御の状態との関係の一例を説明する表である。
【図４】図４は、自動駐車ＥＣＵと他のＥＣＵとの連携の一例を説明する図である。
【図５】図５は、中断処理の一例を説明するフローチャートである。
【図６】図６は、中断処理後の動作決定処理の一例を説明するフローチャートである。
【図７】図７は、中断処理の他の例を説明するフローチャートである。
【図８】図８は、自動駐車中の車両の速度パターンの一例を説明する図である。
【発明を実施するための形態】
【００１１】
以下、図面を参照して、例示的な実施形態について説明する。なお、以下の説明において、同一又は相当要素には同一符号を付し、重複する説明は繰り返さない。
【００１２】
［第一実施形態］
［自動駐車装置の構成］
図１は、実施形態に係る自動駐車装置１を備える車両２の構成を示すブロック図である。図１に示されるように、乗用車などの車両２には、自動駐車装置１が搭載されている。自動駐車装置１は、駐車目標位置に車両２を自動で駐車させる。
【００１３】
車両２は、外部センサ２０、内部センサ２１、操作量検出センサ２２、ＨＭＩ（Human  Machine  Interface）２３、ＥＣＵ（Electronic  Control  Unit）及びアクチュエータ２９を備えている。ＥＣＵは、ＣＰＵ（Central  Processing  Unit）、ＲＯＭ（Read  Only  Memory）、ＲＡＭ（Random  Access  Memory）、ＣＡＮ（Controller  Area  Network）通信回路などを有する電子制御ユニットである。車両２は、ＥＣＵとして、自動駐車ＥＣＵ２４、駆動力ＥＣＵ２５、制動力ＥＣＵ２６、操舵ＥＣＵ２７及びシフトレンジ制御ＥＣＵ２８を備えている。
【００１４】
外部センサ２０は、車両２の周辺の状況（環境）を検出する検出機器である。外部センサ２０の検出結果は自動駐車ＥＣＵ２４へ出力される。一例として、外部センサ２０は、カメラ及びレーダセンサのうち少なくとも一つを含む。
【００１５】
カメラは、車両２の外部状況を撮像する撮像機器である。カメラは、車両２のフロントガラスの裏側に設けられている。カメラは、単眼カメラであってもよく、ステレオカメラであってもよい。
【００１６】
レーダセンサは、電波（例えばミリ波）又は光を利用して車両２の周辺の物体を検出する検出機器である。レーダセンサには、例えば、ミリ波レーダ又はライダー（LIDAR：Light Detection and Ranging）が含まれる。レーダセンサは、電波又は光を車両２の周辺に送信し、物体で反射された電波又は光を受信することで物体を検出する。
【００１７】
内部センサ２１は、車両２の走行状態を検出する検出機器である。内部センサ２１の検出結果は自動駐車ＥＣＵ２４へ出力される。内部センサ２１は、車速センサを少なくとも含む。
【００１８】
車速センサは、車両２の速度を検出する検出機器である。車速センサとしては、車両２の車輪又は車輪と一体に回転するドライブシャフト等に対して設けられ、車輪の回転速度を検出する車輪速センサが用いられる。
【００１９】
内部センサ２１は、加速度センサ又はヨーレートセンサを含んでもよい。加速度センサは、車両２の加速度を検出する検出機器である。加速度センサは、車両２の前後方向の加速度を検出する前後加速度センサと、車両の横加速度を検出する横加速度センサとを含んでいる。ヨーレートセンサは、車両２の重心の鉛直軸周りのヨーレート（回転角速度）を検出する検出器である。ヨーレートセンサとしては、例えばジャイロセンサを用いることができる。
【００２０】
操作量検出センサ２２は、車両２の運転者の運転操作の操作量を検出する機器である。操作量検出センサ２２の検出結果は自動駐車ＥＣＵ２４へ出力される。操作量検出センサ２２は、例えば、アクセルペダルセンサ及びステアリングセンサのうち少なくとも一つを含む。
【００２１】
アクセルペダルセンサは、アクセルペダルの踏込み量を検出する検出器である。アクセルペダルの踏込み量は、例えば所定位置を基準としたアクセルペダルの位置（ペダル位置）である。アクセルペダルセンサは、例えば車両２のアクセルペダルのシャフト部分に対して設けられる。
【００２２】
ステアリングセンサは、ステアリングの回転状態を検出する検出器である。回転状態の検出値は、例えば操舵トルク又は舵角（操舵操作の操作量）である。ステアリングセンサは、例えば、車両２のステアリングシャフトに対して設けられる。
【００２３】
操作量検出センサ２２は、ブレーキペダルセンサを含んでもよい。ブレーキペダルセンサは、ブレーキペダルの踏込み量を検出する検出器である。ブレーキペダルセンサは、ブレーキペダルの操作力（ブレーキペダルに対する踏力やマスタシリンダの圧力など）を検出してもよい。
【００２４】
ＨＭＩ２３は、運転者と自動駐車装置１との間で情報の出力及び入力をするためのインターフェイスである。ＨＭＩ２３は、例えば、画像を表示するディスプレイ、音声を出力するスピーカ、及び運転者が入力操作を行うための操作ボタン又はタッチパネル等を備えている。操作ボタン又はタッチパネルは、自動駐車の開始ボタン、実行中の自動駐車を中断させるキャンセルスイッチ（キャンセルＳＷ）、中断された自動駐車を終了させる終了ボタンなどが含まれる。ＨＭＩ２３は、無線通信を介して接続された端末を入出力端末として利用してもよい。
【００２５】
自動駐車ＥＣＵ２４は、自動駐車装置１を構成する主なハードウェアであり、車両２の自動駐車を制御する演算機器である。自動駐車ＥＣＵ２４は、例えばＣＡＮ通信回路を用いて通信するネットワークに接続され、上述した車両２の構成要素と通信可能に接続されている。自動駐車ＥＣＵ２４は、例えば、ＣＰＵが出力する信号に基づいて、ＣＡＮ通信回路を動作させてデータを入出力し、入力データをＲＡＭに記憶し、ＲＯＭに記憶されているプログラムをＲＡＭにロードし、ＲＡＭにロードされたプログラムを実行することで、後述する自動駐車ＥＣＵ２４の構成要素の機能を実現する。なお、自動駐車ＥＣＵ２４は、複数の電子制御ユニットから構成されていてもよい。
【００２６】
自動駐車ＥＣＵ２４は、機能として、周辺環境認識部２４１、経路生成部２４２、車両制御部１０（車両制御部の一例）、受付部１１（受付部の一例）及びオーバーライド判定部１２（判定部の一例）を備えている。車両制御部１０、受付部１１及びオーバーライド判定部１２は自動駐車装置１の主要機能に対応する。
【００２７】
周辺環境認識部２４１は、外部センサ２０の検出結果に基づいて、車両２の周辺の環境を認識する。一例として、周辺環境認識部２４１は、車両２の周囲の物体の位置、物体の大きさや種別、駐車スペースの路面境界線の位置などを認識する。
【００２８】
経路生成部２４２は、周辺環境認識部２４１の認識結果を用いて自動駐車時における車両２の経路を生成する。経路生成部２４２は、例えば現在の車両２の位置から目標駐車スペースに駐車するまでの経路を生成する。目標駐車スペースは、車両２を自動で駐車させる駐車スペースである。経路生成部２４２は、一例として、ＨＭＩ２３の入力結果に基づいて目標駐車スペースを設定する。あるいは、経路生成部２４２は、空車の駐車スペースを目標駐車スペースとして認識してもよい。
【００２９】
経路生成部２４２は、車両２と目標駐車スペースとの位置関係、車両２と物体との位置関係などに基づいて、車両２が物体と接触することなく目標駐車スペースで停車する経路を生成する。経路の生成処理については、幾何学計算などの周知の手法を採用することができる。なお、経路は、車両２の進行方向の切り返し地点を含んでもよい。つまり、経路は、車両２の前進及び後退を含んでもよい。また、経路には、位置に応じた目標速度が含まれていてもよい。
【００３０】
図２は、車両２の自動駐車シーンの一例を説明する図である。図２に示されるシーンは、車両２が目標駐車スペース１００に自動駐車するシーンである。自動駐車装置１は、車両２が位置Ｋ１に存在しているときから自動駐車を開始する。周辺環境認識部２４１は、外部センサ２０の検出結果に基づいて、空きスペースを目標駐車スペース１００として認識する。経路生成部２４２は、外部センサ２０の検出結果に基づいて、車両２と目標駐車スペース１００との位置関係を把握し、目標駐車スペースに車両２を後向きに駐車することを決定する。そして、車両２の旋回性能を考慮し、目標となる経路を生成する。目標となる経路は、前進する経路Ｌ１と後退する経路Ｌ２とを含んでおり、経路Ｌ１と経路Ｌ２との接続点が方向転換地点Ｋ２となる。
【００３１】
車両制御部１０は、車両２を駐車するために、車両２の速度、操舵、及び、車両２の変速機のシフトレンジを制御する。車両制御部１０は、経路生成部２４２によって生成された経路に沿って車両２を走行させる。
【００３２】
車両制御部１０は、駆動力ＥＣＵ２５及び制動力ＥＣＵ２６に対して信号を出力し、車両２の速度を調整する。一例として、車両制御部１０は、位置ごとの目標速度と、車両２の速度との差分が小さくなるように、車両２の速度を調整する。車両制御部１０は、操舵ＥＣＵ２７に対して信号を出力し、車両２の操舵を調整する。一例として、車両制御部１０は、経路の形状に応じた操舵角となるように、車両２の操舵を調整する。車両制御部１０は、シフトレンジ制御ＥＣＵ２８に対して信号を出力し、車両２の変速機のシフトレンジを調整する。一例として、車両制御部１０は、経路の方向転換地点Ｋ２においてシフトの切り返しが発生するように、車両２の変速機のシフトレンジを調整する。
【００３３】
受付部１１は、車両制御部１０による自動駐車中に車両２の運転者による運転操作を受け付ける。運転操作は、車両２の挙動を制御する運転者による操作である。運転操作は、アクセルペダル操作、ブレーキペダル操作、ステアリング操作、シフトレバー操作、ＨＭＩ２３のボタン操作、スイッチ操作などを含む。受付部１１は、操作量検出センサ２２又はＨＭＩ２３を介して運転操作を受け付ける。
【００３４】
オーバーライド判定部１２は、受付部１１により受け付けられた運転操作が所定のオーバーライド条件を満たすか否かを判定する。オーバーライド判定部１２が判定対象とする運転操作は、車両の速度を減速させる操作以外の運転操作である。つまり、判定対象となる運転操作は、ブレーキペダル操作以外の運転操作であり、一例として、アクセルペダル操作、ステアリング操作、シフトレバー操作、ＨＭＩ２３のボタン操作、スイッチ操作などである。ブレーキペダル操作については、自動駐車中の車両２の速度に操作量が反映される。
【００３５】
オーバーライド条件は、運転操作に対応して設定されている。例えば、運転操作がスイッチ操作である場合、オーバーライド条件は、実行中の自動駐車を中断させるＨＭＩ２３のキャンセルスイッチの操作を受付部１１が受け付けた場合に満たされる。例えば、運転操作がシフトレンジの変更操作である場合、オーバーライド条件は、車両２の前進中にシフトレンジを「Ｄ」（前進）から「Ｒ」（後退）へ変更する操作を受付部１１が受け付けた場合に満たされる。あるいは、運転操作がシフトレンジの変更操作である場合、オーバーライド条件は、車両２の後退中にシフトレンジを「Ｒ」（後退）から「Ｄ」（前進）へ変更する操作を受付部１１が受け付けた場合に満たされる。また、運転操作がアクセルペダル操作である場合、オーバーライド条件は、閾値以上のアクセルペダルの操作量を受け付けた場合に満たされる。運転操作とオーバーライド条件とは関連付けてＥＣＵの記憶部などに記憶されている。オーバーライド判定部１２は、記憶部を参照することで、運転操作に対応するオーバーライド条件を取得することができる。オーバーライド判定部１２は、少なくとも一つの運転操作がオーバーライド条件を満たす場合にはオーバーライドがなされたと判定する。
【００３６】
車両制御部１０は、オーバーライド判定部１２によりオーバーライド条件を満たすと判定された場合、車両２を停車させるとともに車両２の変速機のシフトレンジを非駆動レンジに設定する。車両制御部１０は、シフトレンジ制御ＥＣＵ２８に対して非駆動レンジに設定する要求を出力する。なお、変速機の非駆動レンジとは、車両２のタイヤに動力が伝達されない状態である。一例として、変速機の非駆動レンジは、「Ｐ」（停車）又は「Ｎ」（ニュートラル）である。
【００３７】
車両制御部１０は、複数の制御モードで動作する。車両制御部１０は、車両２の速度、操舵、及び、車両２の変速機のシフトレンジを制御している間は、正常モードとして機能する。車両制御部１０の制御モードは、自動駐車中において、オーバーライド判定部１２によりオーバーライド条件を満たすと判定された場合、正常モードから中断モードに遷移する。中断モードとは、自動駐車を再開できる状態で自動駐車に関する制御を一時的に中断している状態である。車両制御部１０は、制御モードが正常モードから中断モードに遷移したときに、算出していた経路、目標駐車スペースの位置、車両２の位置や周辺環境に関する情報を、前回情報としてＥＣＵの記憶部などに記憶する。さらに、車両制御部１０は、車両２の周辺の物体の監視を継続し、物体の位置に応じて経路再計算をバックグラウンドで行う。車両制御部１０は、中断モードが解除されて正常モードに遷移するときに、記憶部を参照して前回情報及び再計算結果を取得する。このように、車両制御部１０は、中断モードにおいては、前回情報及び再計算結果をロードして、再開時の自動駐車に反映する。
【００３８】
図３は、自動駐車中の運転操作と駐車制御の状態との関係の一例を説明する表である。図３に示されるように、車両制御部１０は、自動駐車中の運転操作がブレーキペダル操作である場合、駐車制御を継続する。車両制御部１０は、正常モードで動作し、自動駐車中の車両２の速度にブレーキペダル操作の操作量を反映する。一方、車両制御部１０は、自動駐車中の運転操作がアクセルペダル操作、ステアリング操作、シフトレバー操作、及びボタン・スイッチ操作の何れかである場合、自動駐車を中断する。車両制御部１０は、ブレーキ制御により停車して中断モードとなる（シフトレンジは非駆動レンジ）。車両制御部１０は、ＨＭＩ２３に制御結果を出力してもよい。制御結果は、自動駐車に関する制御結果である。制御結果は、自動駐車の制御モードを含んでもよい。
【００３９】
自動駐車ＥＣＵ２４は、中断モード中の運転操作に基づいて、自動駐車の再開（正常モードへの遷移）、運転者への運転の受け渡し、自動駐車の終了の何れかの動作を決定する。制御モードが中断モードに遷移した場合、自動駐車ＥＣＵ２４は、ブレーキペダル操作も考慮して動作を決定する。動作決定の詳細は後述する。自動駐車ＥＣＵ２４は、自動駐車の再開が決定された場合、前回情報及び再計算結果をロードするとともに、周辺状況を取得しなおして、途中経路から自動駐車を再開する。自動駐車ＥＣＵ２４は、運転者への運転の受け渡しが決定された場合、シフトレンジを「Ｎ」（ニュートラル）のまま運転者へ運転を受け渡す。自動駐車ＥＣＵ２４は、自動駐車の終了が決定された場合、シフトレンジを「Ｐ」（駐車）へ変更する。
【００４０】
駆動力ＥＣＵ２５は、自動駐車ＥＣＵ２４からの要求に基づいて、車両２のアクチュエータ２９を動作させて駆動力を制御する。駆動力ＥＣＵ２５により動作するアクチュエータ２９は、一例としてスロットルアクチュエータである。制動力ＥＣＵ２６は、自動駐車ＥＣＵ２４からの要求に基づいて、車両２のアクチュエータ２９を動作させて制動力を制御する。制動力ＥＣＵ２６により動作するアクチュエータ２９は、一例としてブレーキアクチュエータである。
【００４１】
操舵ＥＣＵ２７は、自動駐車ＥＣＵ２４からの要求に基づいて、車両２のアクチュエータ２９を動作させて操舵を制御する。操舵ＥＣＵ２７により動作するアクチュエータ２９は、一例としてステアリングアクチュエータである。シフトレンジ制御ＥＣＵ２８は、自動駐車ＥＣＵ２４からの要求に基づいて、車両２のアクチュエータ２９を動作させてシフトレンジを制御する。操舵ＥＣＵ２７により動作するアクチュエータ２９は、一例としてシフトレンジアクチュエータである。
【００４２】
［自動駐車装置の動作］
図４は、自動駐車ＥＣＵ２４と他のＥＣＵとの連携の一例を説明する図である。図４に示されるように、自動駐車ＥＣＵ２４と制動力ＥＣＵ２６、シフトレンジ制御ＥＣＵ２８及び駆動力ＥＣＵ２５がデータのやり取りを行うことにより、自動駐車の中断処理が行われる。なお、図４においては、車両２が前進しているときの動作を説明する。また、自動駐車中の運転操作として、ボタン・スイッチ操作、シフトレバー操作、及び、アクセルペダル操作の何れかが行われた時の動作を説明する。
【００４３】
自動駐車中において、運転者（ドライバ）がキャンセルＳＷをＯＮする操作（第一操作Ｄ１）をした場合、自動駐車ＥＣＵ２４は、操作情報を受け付けてオーバーライド判定（処理Ｐ３）を行う。自動駐車ＥＣＵ２４は、キャンセルＳＷをＯＮする操作情報を受け付けた場合、オーバーライド条件を満たすと判定する。
【００４４】
自動駐車中において、運転者がシフトレンジ「Ｒ」（後退）の操作（第二操作Ｄ２）をした場合、シフトレンジ制御ＥＣＵ２８は、シフト操作の検出処理（処理Ｐ１）を行う。シフトレンジ制御ＥＣＵ２８は、現在のシフトレンジである現レンジ「Ｄ」（前進）と、要求されたシフトレンジである要求レンジ「Ｒ」（後退）とを自動駐車ＥＣＵ２４へ出力する。自動駐車ＥＣＵ２４は、操作情報を受け付けてオーバーライド判定（処理Ｐ３）を行う。自動駐車ＥＣＵ２４は、シフトレンジを「Ｄ」（前進）から「Ｒ」（後退）へ変更する操作を受け付けた場合、オーバーライド条件を満たすと判定する。
【００４５】
自動駐車中において、運転者がアクセルペダル操作（Ａペダル操作：第三操作Ｄ３）をした場合、駆動力ＥＣＵ２５は、ペダル操作の検出処理（処理Ｐ２）を行う。駆動力ＥＣＵ２５は、アクセルペダルの操作量（開度）を自動駐車ＥＣＵ２４へ出力する。自動駐車ＥＣＵ２４は、操作量を受け付けてオーバーライド判定（処理Ｐ３）を行う。自動駐車ＥＣＵ２４は、操作量が閾値以上である場合には、オーバーライド条件を満たすと判定する。
【００４６】
オーバーライド判定（処理Ｐ３）において、オーバーライド条件を満たすと判定された場合、自動駐車ＥＣＵ２４は、制動力ＥＣＵ２６に要求制動力を出力する。制動力ＥＣＵ２６は、要求に基づいてブレーキ制御（処理Ｐ４）を行い、速度情報を自動駐車ＥＣＵ２４へ出力する。自動駐車ＥＣＵ２４は、速度情報に基づいて速度＝０であるか否かを判定する停車判定（処理Ｐ６）を行う。
【００４７】
自動駐車ＥＣＵ２４は、停車判定（処理Ｐ６）において停車を判定後、シフトレンジの要求レンジとして「Ｎ」（ニュートラル）をシフトレンジ制御ＥＣＵ２８へ出力する。シフトレンジ制御ＥＣＵ２８は、要求レンジとして「Ｎ」（ニュートラル）を駆動力ＥＣＵ２５へ出力する処理（処理Ｐ７）を行う。駆動力ＥＣＵ２５は、要求レンジに基づいてシフト制御（処理Ｐ８）を行い、認識しているレンジである認識レンジ「Ｎ」（ニュートラル）をシフトレンジ制御ＥＣＵ２８へ出力する。シフトレンジ制御ＥＣＵ２８は、要求レンジと認識レンジとを比較してシフト制御が行われたことを判定するシフト判定（処理Ｐ９）を行う。続いて、シフトレンジ制御ＥＣＵ２８は、現在のシフトレンジである「Ｎ」（ニュートラル）を自動駐車ＥＣＵ２４へ出力する。
【００４８】
自動駐車ＥＣＵ２４は、シフトレンジが「Ｎ」（ニュートラル）となったときに、中断モードに移行したと判定する（処理Ｐ１０）。自動駐車ＥＣＵ２４は、ＨＭＩ２３に自動駐車が中断された旨を表示させる。図中では、アクセルペダルが操作されたことに起因して自動駐車が中断されたことを運転者に報知する画像が一例として示されている。
【００４９】
自動駐車ＥＣＵ２４は、中断モード中に、ＨＭＩ２３に「自動駐車再開」ボタン、「自動駐車終了」ボタンを表示させる。運転者がブレーキペダル操作を行い、かつ、「自動駐車再開」ボタンを押下した場合には、自動駐車ＥＣＵ２４は自動駐車を再開する（状態Ａ１）。運転者がブレーキペダル操作を行い、かつ、「自動駐車終了」ボタンを押下した場合には、自動駐車ＥＣＵ２４は中断モードを継続しながら、運転者に運転を受け渡す（状態Ａ２）。このときのシフトレンジは、「Ｎ」（ニュートラル）である。運転者がブレーキペダル操作のみを行った場合、自動駐車ＥＣＵ２４は中断モードを継続せずに、運転者に運転を受け渡す（状態Ａ３）。このときのシフトレンジは、「Ｎ」（ニュートラル）である。運転者が運転操作を所定時間行わない場合、自動駐車ＥＣＵ２４は中断モードを継続せずに、自動駐車を終了する（状態Ａ４）。このとき、自動駐車ＥＣＵ２４は、シフトレンジを「Ｐ」（駐車）に設定する。
【００５０】
以上、自動駐車ＥＣＵ２４は、オーバーライド条件を満たす場合に、車両２のシフトレンジを非駆動レンジに設定する。なお、車両２が後退しているときの動作は、図４における「Ｒ」（後退）と「Ｄ」（前進）とが入れ替わるだけであり、その他は同一である。
【００５１】
［中断処理のフローチャート］
図５は、中断処理の一例を説明するフローチャートである。図５に示されるフローチャートは、自動駐車制御中に開始される。
【００５２】
図５に示されるように、オーバーライド判定部１２は、判定処理（Ｓ１０）として、オーバーライド条件を満たすか否かを判定する。一例として、オーバーライド判定部１２は、受付部１１によって受け付けられた運転操作に対応するオーバーライド条件を満たすか否かを判定する。
【００５３】
オーバーライド条件を満たすと判定された場合（Ｓ１０：ＹＥＳ）、車両制御部１０は、停車処理（Ｓ１２）として、ブレーキ制御を実行し、車両２を停止させる。続いて、車両制御部１０は、レンジ設定処理（Ｓ１４）として、車両２の変速機のシフトレンジを非駆動レンジに設定する。続いて、車両制御部１０は、フラグ設定処理（Ｓ１６）として、中断モードフラグをＯＮ（例えば「１」）に設定する。中断モードフラグは、ＥＣＵの記憶部に記憶されており、自動駐車制御が中断された場合に「ＯＮ」され、それ以外の場合に「ＯＦＦ」される。続いて、車両制御部１０は、報知処理（Ｓ１８）として、制御モードが中断モードになった旨をＨＭＩ２３に表示させる。
【００５４】
オーバーライド条件を満たさないと判定された場合（Ｓ１０：ＮＯ）、及び、報知処理（Ｓ１８）が終了すると、図５に示される中断処理を終了する。自動駐車制御中である場合、車両制御部１０は、図５に示されるフローチャートを最初から実行する。
【００５５】
［動作決定処理のフローチャート］
図６は、中断処理後の動作決定処理の一例を説明するフローチャートである。図６に示されるフローチャートは、中断モードフラグが「ＯＮ」されている場合に開始される。
【００５６】
図６に示されるように、自動駐車装置１の受付部１１は、判定処理（Ｓ２０）として、運転操作が受け付けられたか否かを判定する。ここでの運転操作は、ブレーキペダル操作も含む。
【００５７】
運転操作が受け付けられたと判定された場合（Ｓ２０：ＹＥＳ）、自動駐車装置１の車両制御部１０は、判定処理（Ｓ２２）として、運転操作が再開操作であるか否かを判定する。再開操作とは、制御モードを中断モードから正常モードへ移行させる運転操作である。一例として、再開操作は、ブレーキペダル操作と「自動駐車再開」ボタンの押下操作との組み合わせである。
【００５８】
運転操作が再開操作であると判定された場合（Ｓ２２：ＹＥＳ）、車両制御部１０は、再開処理（Ｓ２４）として、制御モードを中断モードから正常モードへ移行させる。つまり、車両制御部１０は、前回情報及び再計算結果をロードするとともに、周辺状況を取得しなおして、途中経路から自動駐車を再開する。
【００５９】
運転操作が再開操作でないと判定された場合（Ｓ２２：ＮＯ）、車両制御部１０は、判定処理（Ｓ２８）として、運転操作が終了操作であるか否かを判定する。終了操作とは、自動駐車を終了させる運転操作である。一例として、終了操作は、ブレーキペダル操作のみ、又は、ブレーキペダル操作及び「自動駐車終了」ボタンの押下操作との組み合わせである。
【００６０】
運転操作が終了操作であると判定された場合（Ｓ２８：ＹＥＳ）、車両制御部１０は、受け渡し処理（Ｓ３０）として、シフトレンジを「Ｎ」（ニュートラル）のまま、運転者に運転を受け渡す。例えば、車両制御部１０は、ＨＭＩ２３に自動駐車制御を終了する旨や、以後は運転者が運転すべきことを表示させる。続いて、車両制御部１０は、終了処理（Ｓ３２）として、途中演算結果の破棄などを行う。
【００６１】
一方、運転操作が受け付けられていないと判定された場合（Ｓ２０：ＮＯ）、自動駐車装置１の車両制御部１０は、判定処理（Ｓ３４）として、中断モード開始から所定時間が経過したか否かを判定する。
【００６２】
中断モード開始から所定時間が経過したと判定された場合（Ｓ３４：ＹＥＳ）、車両制御部１０は、受け渡し処理（Ｓ３６）として、シフトレンジを「Ｐ」（ニュートラル）へ設定し、運転者に運転を受け渡す。例えば、車両制御部１０は、ＨＭＩ２３に自動駐車制御を終了する旨や、以後は運転者が運転すべきことを表示させる。続いて、車両制御部１０は、終了処理（Ｓ３８）として、途中演算結果の破棄などを行う。
【００６３】
再開処理（Ｓ２４）又は終了処理（Ｓ３２及びＳ３８）が終了すると、車両制御部１０は、フラグリセット処理（Ｓ２６）として、中断モードフラグを「ＯＦＦ」に設定する。
【００６４】
運転操作が終了操作でないと判定された場合（Ｓ２８：ＮＯ）、中断モード開始から所定時間が経過していないと判定された場合（Ｓ３４：ＮＯ）、又は、フラグリセット処理（Ｓ２６）が終了した場合、図６に示される動作決定処理が終了する。終了後、中断モードフラグが「ＯＮ」であれば、図６に示される動作決定処理が最初から実行される。
【００６５】
［第一実施形態の作用効果］
以上、第一実施形態に係る自動駐車装置１によれば、自動駐車中においてオーバーライド条件がみたされた場合、車両２の変速機のシフトレンジが「Ｎ」（ニュートラル）に設定され、その後、車両２の運転が運転者に受け渡される。このため、この装置は、運転者が車両２を発進させる際に改めてシフトレンジを設定させることができる。よって、この装置は、運転者の想定とは異なるシフトレンジでの車両２の発進を回避することができる。
【００６６】
［第二実施形態］
［自動駐車装置の構成］
第二実施形態に係る自動駐車装置の構成は、第一実施形態に係る自動駐車装置１の構成と比較して、車両制御部１０の一部機能が相違し、その他は同一である。第二実施形態に係る自動駐車装置が搭載される車両の構成は、第一実施形態で説明された車両２と同一である。以下では重複する説明は繰り返さない。
【００６７】
［中断処理のフローチャート］
図７は、中断処理の一例を説明するフローチャートである。図７に示されるフローチャートは、自動駐車制御中に開始される。
【００６８】
図７の判定処理（Ｓ４０）、停車処理（Ｓ４２）、レンジ設定処理（Ｓ４４）、フラグ設定処理（Ｓ４６）及び報知処理（Ｓ４８）は、図５の判定処理（Ｓ１０）、停車処理（Ｓ１２）、レンジ設定処理（Ｓ１４）、フラグ設定処理（Ｓ１６）及び報知処理（Ｓ１８）と同一である。つまり、図５に示された中断処理と比較すると、減速判定処理（Ｓ４３）が挿入されている点のみが相違する。
【００６９】
車両制御部１０は、減速判定処理（Ｓ４３）として、運転操作が減速区間で行われたか否かを判定する。より具体的には、車両制御部１０は、受付部１１により運転操作が受け付けられたタイミングにおいて車両２が減速しているか否かを判定する。図８は、自動駐車中の車両２の速度パターンの一例を説明する図である。図８のグラフの横軸は距離であり、縦軸は速度である。図８の速度パターンは、図２で説明された駐車シーンの経路Ｌ１の速度パターンである。図８に示されるように、車両２が位置Ｋ１（図２）から発進し、所定距離走行するまでの間は速度が上昇する（発進区間）。その後、車両２は所定速度で移動する（定常区間）。そして、方向転換地点Ｋ２でシフトを切り替える必要があるため、車両２は方向転換地点Ｋ２で停車するために減速する（減速区間）。つまり、減速区間は、方向転換地点Ｋ２の所定範囲内の区間である。
【００７０】
運転操作が減速区間で行われたと判定された場合（Ｓ４３：ＹＥＳ）、レンジ設定処理（Ｓ４４）へ移行する。一方、運転操作が減速区間で行われていないと判定された場合（Ｓ４３：ＮＯ）、図７に示される中断処理を終了する。
【００７１】
［第二実施形態の作用効果］
車両２の進行方向を変更するようなシフトレンジの変更は、車両２が方向転換地点Ｋ２に到達するとき（減速するとき）に発生する。つまり、駐車制御中において車両２が減速していないときは、車両２の進行方向を変更するようなシフトレンジの変更が行われない。第二実施形態に係る自動駐車装置によれば、車両２が減速していないときには、車両２の変速機のシフトレンジを非駆動レンジに設定しないようにすることで、不必要なシフトレンジの変更を抑制することができる。
【００７２】
上述した実施形態は、当業者の知識に基づいて種々の変更、改良を施した様々な形態で実施することができる。
【００７３】
例えば、図６において、車両制御部１０は、判定処理（Ｓ２８）として、ブレーキペダル操作のみ、又は、ブレーキペダル操作及び「自動駐車終了」ボタンの押下操作との組み合わせを受け付けたときに、運転操作が終了操作であると判定していたが、「ブレーキペダル操作のみ受け付けた場合」と、「ブレーキペダル操作及び「自動駐車終了」ボタンの押下操作との組み合わせを受け付けた場合」とで自動駐車の処理を変更してもよい。例えば、運転者がブレーキペダル操作を行い、かつ、「自動駐車終了」ボタンを押下した場合には、自動駐車ＥＣＵ２４は中断モードを継続しながら、運転者に運転を受け渡すようにしてもよい（図４の状態Ａ２）。そして、運転者がブレーキペダル操作のみを行った場合、自動駐車ＥＣＵ２４は中断モードを継続せずに、運転者に運転を受け渡してもよい（図４の状態Ａ３）。
【００７４】
例えば、上述した実施形態では、車両制御部１０は、車両２を停車させた後に非駆動レンジを設定する場合を説明したが、これに限定されるものではない。例えば、車両制御部１０は、非駆動レンジを設定した後に車両２を停車させてもよい。あるいは、停車処理と非駆動レンジの設定処理とを同時に（並行して）行ってもよい。
【００７５】
また、上述した実施形態では、中断モード時にシフトレンジを「Ｎ」（ニュートラル）に設定しているが、運転者に運転を受け渡すことが確定してからシフトレンジを「Ｎ」（ニュートラル）に設定してもよい。例えば、図４の状態Ａ２、状態Ａ３の状態となることが確定してからシフトレンジを「Ｎ」（ニュートラル）に設定してもよい。
【符号の説明】
【００７６】
１…自動駐車装置、２…車両、１０…車両制御部、１１…受付部、１２…オーバーライド判定部（判定部の一例）。
【図１】
2018144751.tif 000003
【図２】
2018144751.tif 000004
【図３】
2018144751.tif 000005
【図４】
2018144751.tif 000006
【図５】
2018144751.tif 000007
【図６】
2018144751.tif 000008
【図７】
2018144751.tif 000009
【図８】
2018144751.tif 000010